(57)【要約】【課題】被転写体が案内手段に非接触となるタイミングで転写手段に供給される転写電流値が所定の範囲となるように供給手段の転写電圧を設定する設定手段を備えていない構成に比べて、画像の濃度差を抑制できる画像形成装置を提供する。【解決手段】被転写体にトナー像を転写する転写手段と、転写手段に対して、被転写体の搬送方向上流に配置されて、被転写体を案内する案内手段と、転写手段へ転写電圧を供給する供給手段と、被転写体が案内手段に非接触となるタイミングで転写手段に供給される転写電流値が所定の範囲となるように供給手段の転写電圧を設定する設定手段と、を備えた。【選択図】図４
2019105816.tif 000002
【特許請求の範囲】
【請求項１】
被転写体にトナー像を転写する転写手段と、
前記転写手段に対して、前記被転写体の搬送方向上流に配置されて、前記被転写体を案内する案内手段と、
前記転写手段へ転写電圧を供給する供給手段と、
前記被転写体が前記案内手段に非接触となるタイミングで前記転写手段に供給される転写電流値が所定の範囲となるように前記供給手段の転写電圧を設定する設定手段と、を備えた、
ことを特徴とする画像形成装置。
【請求項２】
前記設定手段は、前記被転写体が表面に金属層を有する記録媒体又はカーボンを含有する記録媒体である場合に、前記被転写体が前記案内手段に非接触となるタイミングで前記転写手段に供給される転写電流値が所定の範囲となるように前記供給手段の転写電圧を設定する、
ことを特徴とする請求項１に記載の画像形成装置。
【請求項３】
前記設定手段は、前記被転写体の表面抵抗率が１Ｅ＋６Ω／□以下である場合に、前記被転写体が前記案内手段に非接触となるタイミングで前記転写手段に供給される転写電流値が所定の範囲となるように前記供給手段の転写電圧を設定する、
ことを特徴とする請求項１に記載の画像形成装置。
【請求項４】
前記設定手段は、前記被転写体が前記案内手段に接触していないときに前記転写手段に供給する転写電圧を、前記被転写体が前記案内手段に接触しているときに前記転写手段に供給する転写電圧に比べて高くする、
ことを特徴とする請求項２又は３に記載の画像形成装置。
【請求項５】
前記設定手段は、前記被転写体の体積抵抗値が高いほど、前記転写電圧の増加幅を大きくする、
ことを特徴とする請求項４に記載の画像形成装置。
【請求項６】
前記転写手段は、前記被転写体が前記案内手段に接触していないときに前記被転写体を押圧する押圧力を、前記被転写体が前記案内手段に接触しているときに前記被転写体を押圧する押圧力に比べて大きくする、
ことを特徴とする請求項２又は３に記載の画像形成装置。
【請求項７】
前記転写手段は、前記トナー像を前記被転写体に二次転写する二次転写部材と、前記二次転写部材と対向する対向部材と、を備え、
前記被転写体が前記案内手段に接触していないときに前記対向部材と前記二次転写部材の軸間距離を、前記被転写体が前記案内手段に接触しているときに前記対向部材と前記二次転写部材の軸間距離に比べて小さくする、
ことを特徴とする請求項２又は３に記載の画像形成装置。
【請求項８】
前記被転写体が前記案内手段に接触しているときに前記対向部材と前記二次転写部材の軸間距離は前記対向部材の半径と前記二次転写部材の半径の和よりも小さく設定されており、前記被転写体が前記案内手段に接触していないときに前記対向部材と前記二次転写部材の軸間距離を更に小さくする、
ことを特徴とする請求項７に記載の画像形成装置。
【請求項９】
前記転写手段は、前記トナー像を前記被転写体に二次転写する二次転写部材と、前記二次転写部材と対向する対向部材と、を備え、
前記被転写体が前記案内手段に接触しているときに前記対向部材と前記二次転写部材の軸間距離は前記対向部材の半径と前記二次転写部材の半径の和よりも大きく設定されている、
ことを特徴とする請求項２又は３に記載の画像形成装置。
【請求項１０】
前記被転写体が前記案内手段に接触していないときに前記対向部材と前記二次転写部材の軸間距離を小さくする、  
ことを特徴とする請求項９に記載の画像形成装置。
【請求項１１】
前記案内手段は、電気的に接地されている、
ことを特徴とする請求項１ないし１０のいずれか１項に記載の画像形成装置。
【請求項１２】
前記案内手段は、電気抵抗を介して接地されている、
ことを特徴とする請求項１ないし１０のいずれか１項に記載の画像形成装置。
【請求項１３】
前記案内手段は、前記転写電圧に対して同極性の電圧が印加されている、
ことを特徴とする請求項１ないし１０のいずれか１項に記載の画像形成装置。
【請求項１４】
前記トナー像は、白色トナーからなる白色トナー層又はアルミ顔料を含む銀トナーからなる銀トナー層を含む、
ことを特徴とする請求項９又は１０に記載の画像形成装置。
【発明の詳細な説明】
【技術分野】
【０００１】
本発明は、画像形成装置に関する。
【背景技術】
【０００２】
２次転写対向ローラは中間転写ベルトの像担持面上の画像部に流れる画像部転写電流が一定になるように制御されており、用紙が２次転写ニップに進入する前に、像担持面と２次転写ローラとを離間させ、進入した後用紙を介して接触させ、用紙が２次転写ニップに進入した際の転写バイアスは定電圧制御とする画像形成装置が知られている（特許文献１）。
【０００３】
像担持体に担持された可視像を記録媒体に転写させる転写手段と、転写手段により可視像が転写された記録媒体を像担持体から分離させる分離手段とを備える画像形成装置において、記録媒体として黒紙またはメタリック紙を通紙する場合に、分離手段に印加する分離バイアスを小さくする画像形成装置も知られている（特許文献２）
【先行技術文献】
【特許文献】
【０００４】
【特許文献１】特開２０１１−１８６１６８号公報
【特許文献２】特開２０１６−１０２９０９号公報
【発明の概要】
【発明が解決しようとする課題】
【０００５】
本発明は、被転写体が案内手段に非接触となるタイミングで転写手段に供給される転写電流値が所定の範囲となるように供給手段の転写電圧を設定する設定手段を備えていない構成に比べて、画像の濃度差を抑制できる画像形成装置を提供することを目的とする。
【課題を解決するための手段】
【０００６】
前記課題を解決するために、請求項１に記載の画像形成装置は、
被転写体にトナー像を転写する転写手段と、
前記転写手段に対して、前記被転写体の搬送方向上流に配置されて、前記被転写体を案内する案内手段と、
前記転写手段へ転写電圧を供給する供給手段と、
前記被転写体が前記案内手段に非接触となるタイミングで前記転写手段に供給される転写電流値が所定の範囲となるように前記供給手段の転写電圧を設定する設定手段と、を備えた、
ことを特徴とする。
【０００７】
請求項２に記載の発明は、請求項１に記載の画像形成装置において、
前記設定手段は、前記被転写体が表面に金属層を有する記録媒体又はカーボンを含有する記録媒体である場合に、前記被転写体が前記案内手段に非接触となるタイミングで前記転写手段に供給される転写電流値が所定の範囲となるように前記供給手段の転写電圧を設定する、
ことを特徴とする。
【０００８】
請求項３に記載の発明は、請求項１に記載の画像形成装置において、
前記設定手段は、前記被転写体の表面抵抗率が１Ｅ＋６Ω／□以下である場合に、前記被転写体が前記案内手段に非接触となるタイミングで前記転写手段に供給される転写電流値が所定の範囲となるように前記供給手段の転写電圧を設定する、
ことを特徴とする。
【０００９】
請求項４記載の発明は、請求項２又は３に記載の画像形成装置において、
前記設定手段は、前記被転写体が前記案内手段に接触していないときに前記転写手段に供給する転写電圧を、前記被転写体が前記案内手段に接触しているときに前記転写手段に供給する転写電圧に比べて高くする、
ことを特徴とする。
【００１０】
請求項５記載の発明は、請求項４に記載の画像形成装置において、
前記設定手段は、前記被転写体の体積抵抗値が高いほど、前記転写電圧の増加幅を大きくする、
ことを特徴とする。
【００１１】
請求項６記載の発明は、請求項２又は３に記載の画像形成装置において、
前記転写手段は、前記被転写体が前記案内手段に接触していないときに前記被転写体を押圧する押圧力を、前記被転写体が前記案内手段に接触しているときに前記被転写体を押圧する押圧力に比べて大きくする、
ことを特徴とする。
【００１２】
請求項７記載の発明は、請求項２又は３に記載の画像形成装置において、
前記転写手段は、前記トナー像を前記被転写体に二次転写する二次転写部材と、前記二次転写部材と対向する対向部材と、を備え、
前記被転写体が前記案内手段に接触していないときに前記対向部材と前記二次転写部材の軸間距離を、前記被転写体が前記案内手段に接触しているときに前記対向部材と前記二次転写部材の軸間距離に比べて小さくする、
ことを特徴とする。
【００１３】
請求項８記載の発明は、請求項７に記載の画像形成装置において、
前記被転写体が前記案内手段に接触しているときに前記対向部材と前記二次転写部材の軸間距離は前記対向部材の半径と前記二次転写部材の半径の和よりも小さく設定されており、前記被転写体が前記案内手段に接触していないときに前記対向部材と前記二次転写部材の軸間距離を更に小さくする、
ことを特徴とする。
【００１４】
請求項９記載の発明は、請求項２又は３に記載の画像形成装置において、
前記転写手段は、前記トナー像を前記被転写体に二次転写する二次転写部材と、前記二次転写部材と対向する対向部材と、を備え、
前記被転写体が前記案内手段に接触しているときに前記対向部材と前記二次転写部材の軸間距離は前記対向部材の半径と前記二次転写部材の半径の和よりも大きく設定されている、
ことを特徴とする。
【００１５】
請求項１０記載の発明は、請求項９に記載の画像形成装置において、
前記被転写体が前記案内手段に接触していないときに前記対向部材と前記二次転写部材の軸間距離を小さくする、  
ことを特徴とする。
【００１６】
請求項１１記載の発明は、請求項１ないし１０のいずれか１項に記載の画像形成装置において、
前記案内手段は、電気的に接地されている、
ことを特徴とする。
【００１７】
請求項１２記載の発明は、請求項１ないし１０のいずれか１項に記載の画像形成装置において、
前記案内手段は、電気抵抗を介して接地されている、
ことを特徴とする。
【００１８】
請求項１３記載の発明は、請求項１ないし１０のいずれか１項に記載の画像形成装置において、
前記案内手段は、前記転写電圧に対して同極性の電圧が印加されている、
ことを特徴とする。
【００１９】
請求項１４記載の発明は、請求項９又は１０に記載の画像形成装置において、
前記トナー像は、白色トナーからなる白色トナー層又はアルミ顔料を含む銀トナーからなる銀トナー層を含む、
ことを特徴とする。
【発明の効果】
【００２０】
請求項１に記載の発明によれば、被転写体が案内手段に非接触となるタイミングで転写手段に供給される転写電流値が所定の範囲となるように供給手段の転写電圧を設定する設定手段を備えていない構成に比べて、被転写体の搬送方向における画像の濃度差を抑制することができる。
【００２１】
請求項２に記載の発明によれば、被転写体が表面に金属層を有する記録媒体又はカーボンを含有する記録媒体である場合においても、被転写体が案内手段に非接触となるタイミングで転写手段に供給される転写電流値が所定の範囲となるように供給手段の転写電圧を設定する設定手段を備えていない構成に比べて、被転写体の搬送方向における画像の濃度差を抑制する程度を向上させることができる。
【００２２】
請求項３に記載の発明によれば、被転写体の表面抵抗率が１Ｅ＋６Ω／□以下である場合においても、被転写体が案内手段に非接触となるタイミングで転写手段に供給される転写電流値が所定の範囲となるように供給手段の転写電圧を設定する設定手段を備えていない構成に比べて、被転写体の搬送方向における画像の濃度差を抑制する程度を向上させることができる。
【００２３】
請求項４に記載の発明によれば、被転写体が案内手段に接触していないときに転写手段に供給する転写電圧を、被転写体が案内手段に接触しているときに転写手段に供給する転写電圧に比べて高くしない場合に比べて、転写電流値の変化量を小さくすることができる。
【００２４】
請求項５に記載の発明によれば、被転写体の体積抵抗値が高いほど、転写電圧の増加幅を大きくしない場合に比べて、転写電流値の変化量を小さくすることができる。
【００２５】
請求項６に記載の発明によれば、被転写体が案内手段に接触していないときに被転写体を押圧する押圧力を、被転写体が案内手段に接触しているときに被転写体を押圧する押圧力に比べて大きくしない場合に比べて、転写電流値の変化量を小さくすることができる。
【００２６】
請求項７に記載の発明によれば、被転写体が案内手段に接触していないときに対向部材と二次転写部材の軸間距離を、被転写体が案内手段に接触しているときに対向部材と二次転写部材の軸間距離に比べて小さくしない場合に比べて、転写電流値の変化量を小さくすることができる。
【００２７】
請求項８に記載の発明によれば、被転写体が案内手段に接触していないときに対向部材と二次転写部材の軸間距離を更に小さくしない場合に比べて、転写電流値の変化量を小さくすることができる。
【００２８】
請求項９に記載の発明によれば、被転写体が案内手段に接触しているときに対向部材と二次転写部材の軸間距離は対向部材の半径と二次転写部材の半径の和よりも大きく設定されていない場合に比べて、被転写体の搬送方向におけるトナーの飛び散りを抑制することができる。
【００２９】
請求項１０に記載の発明によれば、被転写体が案内手段に接触していないときに対向部材と二次転写部材の軸間距離を小さくしない場合に比べて、転写電流値の変化量を小さくすることができる。
【００３０】
請求項１１に記載の発明によれば、転写位置の上流側で被転写体を除電することができ、除電しない場合に比べて、転写への悪影響を低減できる。
【００３１】
請求項１２に記載の発明によれば、電気抵抗を介して接地しない場合に比べて、転写位置から案内手段への電流の流れ込みを抑制できる。
【００３２】
請求項１３に記載の発明によれば、転写電圧と同極性の電圧が印加されない場合に比べて、転写位置から案内手段への電流の流れ込みを抑制できる。
【００３３】
請求項１４に記載の発明によれば、白色トナーからなる白色トナー層又はアルミ顔料を含む銀トナーからなる銀トナー層を含む場合であっても、被転写体が案内手段に接触しているときに対向部材と二次転写部材の軸間距離は対向部材の半径と二次転写部材の半径の和よりも大きく設定されていない場合に比べて、被転写体の搬送方向におけるトナーの飛び散りを抑制することができる。
【図面の簡単な説明】
【００３４】
【図１】第１実施形態に係る画像形成装置の概略構成の一例を示す断面模式図である。
【図２】第１実施形態に係る画像形成装置の機能構成を示すブロック図である。
【図３】第１実施形態に係る画像形成装置の転写装置の構成を示す断面模式図である。
【図４】第１実施形態に係る画像形成装置の二次転写部における転写バイアス印加の構成を示した図である。
【図５】第１実施形態に係る画像形成装置における低抵抗紙への二次転写時の用紙の搬送方向に沿った転写電流値及び転写電界の一例を示す図である。
【図６】第２実施形態に係る画像形成装置の機能構成を示すブロック図である。
【図７】第２実施形態に係る画像形成装置の二次転写部における転写バイアス印加の構成と転写ニップ調整を示す模式図である。
【図８】第２実施形態に係る画像形成装置の二次転写部における転写ニップ調整を示す模式図である。
【図９】第２実施形態に係る画像形成装置における低抵抗紙への二次転写時の用紙の搬送方向に沿った転写電流値及び転写電界の一例を示す図である。
【図１０】実施例の各条件と画像評価の結果を示す図である。
【図１１】本発明が解決しようとする第１の画像欠陥を示す模式図である。
【図１２】第１の画像欠陥が発生するときの二次転写における用紙の搬送方向に沿った転写電流値及び転写電界の一例を示す図である。
【図１３】本発明が解決しようとする第２の画像欠陥の例を示した模式図である。
【図１４】本発明が解決しようとする第２の画像欠陥が発生する推定原因を説明するための模式図である。
【図１５】本発明が解決しようとする第３の画像欠陥の例を示した模式図である。
【図１６】本発明が解決しようとする第３の画像欠陥が発生する推定原因を説明するための模式図である。
【図１７】第３実施形態に係る画像形成装置の二次転写部における転写ニップ調整を示す模式図である。
【図１８】（ａ）は用紙案内ガイドが抵抗接地された二次転写部における転写バイアス印加の構成を示した図、（ｂ）は用紙案内ガイドがバイアス電圧が印加された二次転写部における転写バイアス印加の構成を示した図である。
【発明を実施するための形態】
【００３５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００３６】
「第１実施形態」
（１）画像形成装置の全体構成及び動作
（１．１）画像形成装置の全体構成
図１は本実施形態に係る画像形成装置１の概略構成の一例を示す断面模式図、図２は画像形成装置１の機能構成を示すブロック図である。
画像形成装置１は、画像形成部１０と、画像形成部１０の一端に装着された用紙送り装置２０と、画像形成部１０の他の一端に設けられ、印刷された用紙Ｐが排紙される排紙部３０と、操作表示部４０と、上位機器から送信された印刷情報から画像情報を生成する画像処理部５０と、を備えて構成されている。
【００３７】
画像形成部１０は、システム制御装置１１（不図示）、露光装置１２、感光体ユニット１３、現像装置１４、転写装置１５、用紙搬送装置１６ａ、１６ｂ、１６ｃ、定着装置１７、駆動装置１８（不図示）、を備えて構成され、画像処理部５０から受け取った画像情報を用紙送り装置２０から送り込まれた記録媒体としての用紙Ｐ上にトナー画像として形成する。
【００３８】
用紙送り装置２０は、画像形成部１０に対する用紙Ｐの供給を行う。すなわち、種類（例えば、材質や厚さ、用紙サイズ、紙目）の異なる用紙Ｐを収容する複数の用紙積載部を備えており、これら複数の用紙積載部のいずれか一つから繰り出した用紙Ｐを画像形成部１０に対して供給するように構成されている。
【００３９】
排紙部３０は、画像形成部１０にて画像出力が行われた記録媒体の排出を行う。そのために、排紙部３０は、画像出力後の記録媒体が排出される排紙収容部を備えている。なお、排紙部３０は、画像形成部１０から出力される用紙束に対して、裁断やステープル（針綴じ）等の後処理を行う機能を有したものであってもよい。
【００４０】
操作表示部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００４１】
（１．２）画像形成部の構成及び動作
このような構成の画像形成装置１では、画像形成のタイミングに合わせて用紙送り装置２０のうち、印刷ジョブで印刷の１枚毎に指定された用紙積載部から繰り出された用紙Ｐが画像形成部１０へ送り込まれる。
【００４２】
感光体ユニット１３は、露光装置１２の下方に、それぞれが並列して設けられ、回転駆動する像保持体としての感光体ドラム３１を備えている。感光体ドラム３１の回転方向にそって、帯電器３２、露光装置１２、現像装置１４、一次転写ローラ５２、クリーニングブレード３３が配置されている。
【００４３】
現像装置１４は、内部に現像剤が収容される現像ハウジング４１を有する。現像ハウジング４１内には、感光体ドラム３１に対向して配置された現像ローラ４２が配設されている。現像ローラ４２には、層厚を規制された現像剤が供給されて感光体ドラム３１上にトナー像が形成される。
それぞれの現像装置１４は、現像ハウジング４１に収容される現像剤を除いて略同様に構成され、それぞれがイエロー（Ｙ）、マゼンタ（Ｍ）、シアン（Ｃ）、黒（Ｋ）、白色（Ｗ）、特別色としての銀（Ｓ）のトナー像を形成する。
【００４４】
現像装置１４の上方には、現像剤（キャリアを含むトナー）を収容する交換可能なトナーカートリッジＴが装着されている。それぞれのトナーカートリッジＴから現像装置１４に現像剤を供給するトナーカートリッジガイドＴＧが配置されている。
【００４５】
回転する感光体ドラム３１の表面は、帯電器３２により帯電され、露光装置１２から出射する潜像形成光により静電潜像が形成される。感光体ドラム３１上に形成された静電潜像は現像ローラ４２によりトナー像として現像される。
【００４６】
転写装置１５は、各感光体ユニット１３の感光体ドラム３１にて形成された各色トナー像が多重転写される像保持体としての中間転写ベルト５１、各感光体ユニット１３にて形成された各色トナー像を中間転写ベルト５１に順次転写（一次転写）する一次転写ローラ５２、中間転写ベルト５１上に重畳して転写された各色トナー像を記録媒体である用紙に一括転写（二次転写）する転写部材としての二次転写ベルト５３とから構成されている。
【００４７】
二次転写ベルト５３は、二次転写ローラ５４と剥離ローラ５５とによって張架され、中間転写ベルト５１の背面側に配置されたバックアップローラ６５と二次転写ローラ５４とに挟持されて二次転写部ＴＲを形成する。
【００４８】
各感光体ユニット１３の感光体ドラム３１に形成された各色トナー像は、システム制御装置１１により制御される電源装置等（不図示）から所定の転写電圧が印加された一次転写ローラ５２により中間転写ベルト５１上に順次静電転写（一次転写）され、各色トナーが重畳された重畳トナー像が形成される。
【００４９】
中間転写ベルト５１上の重畳トナー像は、中間転写ベルト５１の移動に伴って二次転写ベルト５３が配置された二次転写部ＴＲに搬送される。重畳トナー像が二次転写部ＴＲに搬送されると、そのタイミングに合わせて用紙送り装置２０から用紙Ｐが二次転写部ＴＲに供給される。そして、二次転写ベルト５３を介して接地された二次転写ローラ５４と対向するバックアップローラ６５には、システム制御装置１１により制御される電源装置等から給電ローラ６５Ａを介して所定の転写電圧が印加され、用紙Ｐに中間転写ベルト５１上の多重トナー像が一括転写される。
【００５０】
感光体ドラム３１表面の残留トナーは、クリーニングブレード３４により除去され、廃トナー収容部（不図示）に回収される。感光体ドラム３１の表面は、帯電器３２により再帯電される。
【００５１】
定着装置１７は一方向へ回転する無端状の定着ベルト１７ａと、定着ベルト１７ａの周面に接し、一方向へ回転する加圧ローラ１７ｂとを有し、定着ベルト１７ａと加圧ローラ１７ｂの圧接領域によってニップ部（定着領域）が形成される。
転写装置１５においてトナー像が転写された用紙Ｐは、トナー像が未定着の状態で用紙搬送装置１６ａを経由して定着装置１７に搬送される。定着装置１７に搬送された記録媒体は、一対の定着ベルト１７ａと加圧ローラ１７ｂにより、圧着と加熱の作用でトナー像が定着される。
【００５２】
定着の終了した用紙Ｐは、用紙搬送装置１６ｂを経由して排紙部３０に送り込まれる。
尚、用紙Ｐの両面に画像出力を行う場合には、用紙搬送装置１６ｃにより当該用紙Ｐの表裏が反転され、再び画像形成部１０における二次転写部ＴＲへ送り込まれる。そして、トナー像の転写および転写像の定着が行われた後に、排紙部３０に送り込まれることになる。排紙部３０へ送り込まれた用紙Ｐは、必要に応じて裁断やステープル（針綴じ）等の後処理を経た後に、排紙収容部へ排出される。
【００５３】
（２）転写装置の構成と作用
（２．１）転写装置の構成
図３は本実施形態に係る画像形成装置１の転写装置１５の構成を示す断面模式図、図４は画像形成装置１の二次転写部ＴＲにおける転写バイアス印加の構成を示す図、図５は低抵抗紙への二次転写時の用紙Ｐの搬送方向に沿った転写電流値及び転写電界の一例を示す図、図１０は本発明が解決しようとする第１の画像欠陥を示す模式図である。
転写装置１５は中間転写ベルト５１、一次転写ローラ５２、二次転写ベルト５３、バックアップローラ６５、二次転写ローラ５４、クリーニング装置５６、を備えて構成されている。
【００５４】
中間転写ベルト５１は、ポリイミドあるいはポリアミドイミド等の樹脂にカーボンブラック等の導電剤を適当量含有させたものが用いられ、その体積抵抗率が１Ｅ＋１０〜１Ｅ＋１４Ω・ｃｍとなるように形成されており、その厚みが例えば０．１ｍｍ程度のフィルム状の無端ベルトで構成されている。
【００５５】
中間転写ベルト５１は、中間転写ベルト５１を循環駆動させる駆動ローラ６１、各感光体ドラム３１の配列方向に沿って略直線状に伸びる中間転写ベルト５１を支持する従動ローラ６２、中間転写ベルト５１に対して一定の張力を与えると共に中間転写ベルト５１の蛇行を防止するテンションローラ６３、二次転写部ＴＲの上流側に設けられ、中間転写ベルト５１を支持する支持ローラ６４、二次転写部ＴＲに設けられるバックアップローラ６５、中間転写ベルト５１上の残留トナーを掻き取るクリーニング部に設けられるクリーニングバックアップローラ６６に張架されて周回移動する（図中  矢印Ａ参照）。
【００５６】
バックアップローラ６５は、表面にカーボンを分散したＥＰＤＭとＮＢＲのブレンドゴムのチューブで、内部はＥＰＤＭゴムからなり、その表面抵抗率が１Ｅ＋７〜１Ｅ＋１０Ω／□でローラ径が２８ｍｍとなるように形成され、硬度は例えば７０度（アスカーＣ）に設定されている。
バックアップローラ６５は、中間転写ベルト５１の裏面側に配置されて二次転写ベルト５３の対向電極をなしている。そして、バックアップローラ６５には、二次転写部ＴＲにて二次転写電界を形成するための直流電圧を印加する金属製の給電ローラ６５Ａが接触配置されている。
【００５７】
一次転写ローラ５２は、中間転写ベルト５１を挟んで、各感光体ドラム３１に対向して設けられ、トナーの帯電極性と逆極性の電圧が印加されるようになっている。これにより、各々の感光体ドラム３１上のトナー像が中間転写ベルト５１に順次、静電吸引され、中間転写ベルト５１上に重畳されたトナー像が形成されるようになっている。
【００５８】
二次転写ベルト５３は、クロロプレンやＥＰＤＭ等のゴム部材にカーボンブラック等の導電剤を適当量含有させ、例えば体積抵抗率が１Ｅ＋６〜１Ｅ＋１０Ω・ｃｍに調整された半導電性の無端環状ベルトである。
二次転写ベルト５３は、図３に示すように、二次転写ローラ５４及び剥離ローラ５５に張架され、予め定められた張力が与えられる。そして、本実施形態では、二次転写ベルト５３は、二次転写ローラ５４から駆動力を受けて、予め定められた速度で回転する（図中  矢印Ｂ参照）。
【００５９】
二次転写ローラ５４は、金属シャフトである芯材の外周に、例えば、カーボンブラック等の導電剤の分散されたシリコーンゴム、ウレタンゴム、またはＥＰＤＭ等の発泡体で構成された導電層が積層されて構成され、二次転写ベルト５３及び中間転写ベルト５１を介してバックアップローラ６５に対向して配置される。
二次転写ローラ５４は、二次転写ベルト５３上に搬送される用紙Ｐに対して、電気的に接地されて、バックアップローラ６５とともに中間転写ベルト５１が保持するトナー像を二次転写する二次転写部ＴＲを形成する。
又、二次転写ローラ５４には、駆動モータ（不図示）が接続され、駆動モータによる回転駆動を受けて回転し、さらに二次転写ベルト５３を回転させる。
【００６０】
剥離ローラ５５は、図３に示すように、二次転写ベルト５３の回転方向（図中矢印Ｂ方向）において二次転写ローラ５４の下流側に位置し、剥離ローラ５５と二次転写ローラ５４とによって、用紙Ｐを下流側に向けて搬送するベルト面を形成する。
更に、剥離ローラ５５は、二次転写ベルト５３面から用紙Ｐを剥離させるために、剥離ローラ５５のローラ径は二次転写ローラ５４のローラ径よりも小さく設定している。
【００６１】
転写装置１５の二次転写部ＴＲの上流側には中間転写ベルト５１のトナー像保持面に対向して、用紙Ｐを二次転写部ＴＲへ案内する案内手段の一例としての用紙案内ガイド２８が配置されている。
用紙案内ガイド２８は、用紙Ｐの上面（転写面）を案内する用紙案内ガイド２８ａと、用紙Ｐの下面（非転写面）を案内する用紙案内ガイド２８ｂとからなる。
【００６２】
（２．２）転写装置のバイアス印加制御
図４に示すように、バックアップローラ６５には転写バイアスを印加する給電ローラ６５Ａに直流電圧を印加する転写バイアス電源１００が接続されている。
転写バイアス電源１００は、極性が異なる転写バイアス電源１０１とクリーニングバイアス電源１０２を有し、二次転写を行なうときと、二次転写を行なわないときとで、給電ローラ６５Ａとの接続状態を切り替える。
【００６３】
例えば、用紙送り装置２０から用紙案内ガイド２８（図３  参照）を介して二次転写部ＴＲに送り込まれ用紙Ｐに、中間転写ベルト５１上に保持されたトナー像ＴＮを二次転写する場合には、給電ローラ６５Ａには、転写バイアス電源１０１から予め定められた転写電流ＩTOTALを供給するように制御されたＤＣバイアス電圧Ｖburが印加される。
【００６４】
また、用紙Ｐにトナー像の二次転写を行わない、例えば、クリーニング時には、給電ローラ６５Ａには、クリーニングバイアス電源１０２からクリーニングバイアスＶclnが印加される。その結果、中間転写ベルト５１と二次転写ベルト５３との間に電位差が生じて、二次転写ベルト５３上の不要トナーは、静電力により中間転写ベルト５１に付着し、クリーニング部５８（図３  参照）により回収される。
【００６５】
用紙Ｐとして、普通紙に比べて表面抵抗が低い低抵抗用紙（アルミ蒸着されたメタリックペーパー、カーボンブラックを含有する黒紙等で表面抵抗率が１Ｅ＋６Ω／□以下）を使用する場合には、特に転写されるトナー濃度が用紙Ｐの搬送方向において濃度差が発生する虞があった。
具体的には、図１１に模式的に示すように、二次転写部ＴＲから用紙Ｐの後端Ｔ／Ｅが用紙案内ガイド２８から離れるまでの距離Ｌに相当する用紙Ｐの搬送方向の後半部分で、濃度低下する虞があった。特に、低抵抗用紙を使用して白色トナー画像ＷＴ上にマゼンタトナー（Ｍ）、シアントナー（Ｃ）を重ねて転写する場合には、マゼンタトナー（Ｍ）、シアントナー（Ｃ）の転写性が低下して、顕著な濃度差が発生することがあった。
【００６６】
低抵抗用紙の転写においては、ＤＣバイアス電圧Ｖburが印加されると、経路ＲＴ１（バックアップローラ６５／中間転写ベルト５１〜用紙Ｐ〜二次転写ベルト５３）のシステム抵抗より、経路ＲＴ２（バックアップローラ６５／中間転写ベルト５１〜用紙Ｐ〜用紙案内ガイド２８のＧＮＤ）のシステム抵抗が低くなるので、経路ＲＴ１に流れる電流ＩBTBに比べて経路ＲＴ２に流れる電流ＩPAPERがより多くなり、その電界によって転写されることになる。
【００６７】
また、転写バイアス電源１０１は定電圧制御され、低抵抗用紙については、転写中の大部分の領域において経路ＲＴ２で転写されるため、経路ＲＴ２を前提とした最適電圧に設定される。そして、図１２に示すように、低抵抗用紙の後端Ｔ／Ｌが用紙案内ガイド２８を離れた後は、経路ＲＴ１で転写されることになるが、ＤＣバイアス電圧Ｖburは、経路ＲＴ１に比べてシステム抵抗の低い経路ＲＴ２を前提とした最適電圧設定であるため、システム抵抗の高い経路ＲＴ１に対しては十分な電界が得られず、二次転写部ＴＲから用紙Ｐの後端Ｔ／Ｅが用紙案内ガイド２８から離れるまでの距離Ｌに相当する用紙Ｐの搬送方向の後半部分で転写不良となり、用紙Ｐの搬送方向において濃度差が発生するものと推定される。
【００６８】
本実施形態に係る画像形成装置１においては、システム制御装置１１は、用紙Ｐとして表面に金属層を有するメタリックペーパー又はカーボンを含有する黒紙で表面抵抗率が１Ｅ＋６Ω／□以下の低抵抗紙を使用する場合には、用紙Ｐが用紙案内ガイド２８に非接触となるタイミングで給電ローラ６５Ａに供給される転写電流値が所定の範囲となるようにＤＣバイアス電圧Ｖburを設定する。
【００６９】
具体的には、図５に示すように、経路ＲＴ１に流れる電流ＩBTBが、用紙Ｐが用紙案内ガイド２８に接触している状態で主として経路ＲＴ２に流れる転写電流ＩPAPERと同程度になるようにＤＣバイアス電圧Ｖburを上昇させる。これにより、低抵抗用紙を使用した場合であっても、用紙Ｐの搬送方向において転写されるトナー画像の濃度差を抑制することができる。
また、ＤＣバイアス電圧Ｖburは、用紙Ｐの体積抵抗値が高いほど、その増加幅を大きくすることで、用紙Ｐの厚みが厚い場合であっても、用紙Ｐの搬送方向において転写されるトナー画像の濃度差が抑制される。
【００７０】
「第２実施形態」
図６は本実施形態に係る画像形成装置１Ａの機能構成を示すブロック図、図７は画像形成装置１Ａの二次転写部における転写バイアス印加の構成と転写ニップ調整を示す模式図、図８は画像形成装置１Ａの二次転写部ＴＲにおける転写ニップ調整を示す模式図、図９は低抵抗紙への二次転写時の用紙Ｐの搬送方向に沿った転写電流値及び転写電界の一例を示す図である。
本実施形態に係る画像形成装置１Ａは、バックアップローラ６５を、バックアップローラ６５と二次転写ローラ５４とが当接する法線方向に移動させる移動機構１１０を備えている点で、第１実施形態に係る画像形成装置１と異なる。そのために、第１実施形態に係る画像形成装置１と共通の構成要素には同一の符号を付して説明する。
【００７１】
画像形成装置１Ａは、図６に示すように、バックアップローラ６５を、バックアップローラ６５と二次転写ローラ５４とが当接する法線方向に移動させる移動機構１１０を備えている。
移動機構１１０は、図７に示すように、偏心カム１１１と偏心カム１１１を回転駆動するロータリアクチュエータＭからなり、システム制御装置１１によって用紙Ｐの搬送に伴って、バックアップローラ６５を移動させて二次転写部ＴＲにおいて用紙Ｐを押圧する押圧力を増大または減少させ、また、バックアップローラ６５と二次転写ローラ５４の軸間距離を増加または減少させる。
【００７２】
本実施形態に係る画像形成装置１Ａにおいては、システム制御装置１１は、用紙Ｐとして表面に金属層を有するメタリックペーパー又はカーボンを含有する黒紙で表面抵抗率が１Ｅ＋６Ω／□以下の低抵抗紙を使用する場合には、用紙Ｐが用紙案内ガイド２８に接触していないときに用紙Ｐを押圧する押圧力を、用紙Ｐが用紙案内ガイド２８に接触しているときに用紙Ｐを押圧する押圧力に比べて大きくする。
具体的には、図８に模式的に示すように、用紙Ｐの後端Ｔ／Ｅが用紙案内ガイド２８から離れるときに、偏心カム１１１を回転駆動して（図８中  矢印Ｆ参照）バックアップローラ６５と二次転写ローラ５４の軸間距離を増加させて、二次転写部ＴＲにおける二次転写ニップを増加させる。
【００７３】
中間転写ベルト５１を介して、バックアップローラ６５と二次転写ベルト５３及び二次転写ローラ５４が食込んでいる（二次転写ローラ５４とバックアップローラ６５の軸間距離が、それぞれの半径の和よりも小さい）ときは、二次転写部ＴＲにおいてバックアップローラ６５、中間転写ベルト５１、用紙Ｐ、二次転写ベルト５３、二次転写ローラ５４部が充分に接触することで経路ＲＴ１のシステム抵抗が低くなり、図９に示すように、同じＤＣバイアス電圧Ｖburであっても、比較的大きな転写電界が得られる。
その結果、低抵抗用紙を使用した場合であっても、用紙Ｐの搬送方向において転写されるトナー画像の濃度差が抑制される。
【００７４】
「第３実施形態」
図１３は、本発明が解決しようとする第２の画像欠陥の例を示した模式図、図１４は本発明が解決しようとする第２の画像欠陥が発生する推定原因を説明するための模式図、図１５は、本発明が解決しようとする第３の画像欠陥の例を示した模式図、図１６は本発明が解決しようとする第３の画像欠陥が発生する推定原因を説明するための模式図、図１７は画像形成装置１Ｂの二次転写部ＴＲにおける転写ニップ調整を示す模式図である。
【００７５】
使用する用紙Ｐが表面に金属層を有するメタリックペーパーであるときには、二次転写部ＴＲの二次転写ローラ５４とバックアップローラ６５とが互いに強く押圧される領域に突入する直前の中間転写ベルト５１上のトナーが進行方向の後方側に飛散する画像欠陥が発生することがある（図１３参照）。係る画像欠陥は、形成されるトナー画像が用紙Ｐの進行方向と直角方向に複数の細線を含む画像の場合に発生しやすい。
【００７６】
二次転写部ＴＲのプレニップ領域で、図１４に示すように中間転写ベルト５１と用紙Ｐとが重ね合わされ、用紙Ｐの背面は二次転写ベルト５３に接触する。このとき中間転写ベルト５１上のトナーが用紙Ｐとの間に挟み込まれ、前方側にある細線のトナーと後方側にある細線のトナーとの間に空間Ｓが形成される。
【００７７】
この空間Ｓが、二次転写部ＴＲの二次転写ローラ５４とバックアップローラ６５とが互いに強く押圧される領域に突入するときに、大きな圧接力によって前方側から空間Ｓが押し潰される。そして用紙Ｐの進行方向と直角方向に複数の細線を含む画像等では、空間Ｓ内の空気が閉じ込められるようになって排出路が形成されにくくなる。
【００７８】
このため、空間Ｓが前方側から押しつぶされると、図１４中に矢印Ｒで示すように、圧接力が弱い後方側で細線を形成しているトナー粒子群が空気圧によって吹き飛ばされ、後方側に空間Ｓ内の空気が開放される。これにより後方側の細線を構成するトナーが後方側に散乱するものと推察される。
さらに、メタリックペーパーでは、表面の金属層が電極となってプレニップ領域で電界を形成して中間転写ベルト５１とトナー層間の付着力が低下することで、空気圧に抗しきれずに後方側の細線を構成するトナーがより後方側に散乱しやすくなるものと推察される。
【００７９】
白色（Ｗ）トナーや銀（Ｓ）トナーによるトナー画像においては、用紙Ｐの先端Ｌ／Ｅ側において搬送方向の後方側に飛散する画像欠陥が発生することがある（図１５参照）。
用紙Ｐの先端Ｌ／Ｅが二次転写部ＴＲに突入する際、用紙Ｐは転写ニップに突き当たり、先端領域が中間転写ベルト５１側に撓んだ状態で衝突する（図１６中  矢印Ｒ参照）。この衝突により中間転写ベルト５１が振動し二次転写前に中間転写ベルト５１上で保持されているトナーが飛散する（図１６  参照）。
特に、白色（Ｗ）トナーや銀（Ｓ）トナーは金属顔料を含むために質量が大きく、中間転写ベルト５１の振動から受ける力が大きくなるため、かかるトナー飛散が発生し易いものと推察される。
【００８０】
本実施形態に係る画像形成装置１Ｂにおいては、システム制御装置１１は移動機構１１０を介して、用紙Ｐとして表面に金属層を有するメタリックペーパー又はカーボンを含有する黒紙で表面抵抗率が１Ｅ＋６Ω／□以下の低抵抗紙を使用する場合には、用紙Ｐが用紙案内ガイド２８に接触しているときにバックアップローラ６５と二次転写ローラ５４の軸間距離Ｌ１をバックアップローラ６５の半径Ｒ１と二次転写ローラ５４の半径Ｒ２の和よりも大きく設定し、用紙Ｐが用紙案内ガイド２８に接触していないときにバックアップローラ６５と二次転写ローラ５４の軸間距離Ｌ１を小さくする。
【００８１】
具体的には、図１７に模式的に示すように、用紙Ｐが用紙案内ガイド２８に接触しているときには二次転写部ＴＲにおける転写ニップＮＰをマイナス（バックアップローラ６５と二次転写ローラ５４が当接しない）に設定し、用紙Ｐの後端Ｔ／Ｅが用紙案内ガイド２８から離れるときに、偏心カム１１１を回転駆動して（図８中  矢印Ｆ参照）バックアップローラ６５と二次転写ローラ５４の軸間距離Ｌ１を増加させて、二次転写部ＴＲにおける二次転写ニップを増加させる。
【００８２】
これにより、用紙Ｐが二次転写部ＴＲに突入する際の用紙Ｐの中間転写ベルト５１側への変形を抑制して、白色（Ｗ）トナーや銀（Ｓ）トナーを使用する場合に、用紙Ｐの先端Ｌ／Ｅ側において搬送方向の後方側に飛散する画像欠陥の発生が抑制される。
また、用紙Ｐが用紙案内ガイド２８に接触しているときの二次転写部ＴＲにおける用紙Ｐへの押圧力が減少して中間転写ベルト５１上のトナーが進行方向の後方側に飛散する画像欠陥の発生が抑制される。
【００８３】
（変形例）
変形例に係る画像形成装置１Ｃにおいては、システム制御装置１１は移動機構１１０を介して、用紙Ｐとして表面に金属層を有するメタリックペーパー又はカーボンを含有する黒紙で表面抵抗率が１Ｅ＋６Ω／□以下の低抵抗紙を使用する場合には、バックアップローラ６５と二次転写ローラ５４の軸間距離Ｌ１をバックアップローラ６５の半径Ｒ１と二次転写ローラ５４の半径Ｒ２の和よりも大きく設定する。そして、用紙Ｐが用紙案内ガイド２８に非接触となるタイミングで給電ローラ６５Ａに供給される転写電流値が所定の範囲となるようにＤＣバイアス電圧Ｖburを設定する。
具体的には、経路ＲＴ１に流れる電流ＩBTBが、用紙Ｐが用紙案内ガイド２８に接触している状態で主として経路ＲＴ２に流れる転写電流ＩPAPERと同程度になるようにＤＣバイアス電圧Ｖburを上昇させる（図５  参照）。
【００８４】
これにより、白色（Ｗ）トナーや銀（Ｓ）トナーを使用する場合に、用紙Ｐの先端Ｌ／Ｅ側において搬送方向の後方側に飛散する画像欠陥が発生を抑制するとともに、中間転写ベルト５１上のトナーが進行方向の後方側に飛散する画像欠陥が発生の発生を抑制することができる。そして、低抵抗用紙を使用した場合であっても、用紙Ｐの搬送方向において転写されるトナー画像の濃度差が抑制される。
【実施例】
【００８５】
画像形成装置１（富士ゼロックス（株）製  Ｃｏｌｏｒ  １０００  Ｐｒｅｓｓをベースとした装置）を用いて、低抵抗紙として、五條製紙社製の３５０ｇｓｍのＡ３サイズのメタリック紙（スペシャリティＮｏ．３１４）における用紙の搬送方向において転写されるトナー画像の濃度差、トナー飛散等の画像欠陥について次の条件で評価した。
評価画像は、白色（Ｗ）単色、白色（Ｗ）上にマゼンタトナー（Ｍ）、シアントナー（Ｃ）を重ねた二次色のＡ３全面サイズのベタ画像、画像先端部２０ｍｍの位置から、用紙Ｐの搬送方向幅１０ｍｍ、用紙Ｐの搬送方向と直交する方向幅２８５ｍｍの白色帯画像とした。評価環境は２０℃／１０％ＲＨである。
「条件１」
二次転写食込み量は−０．３ｍｍ（−０．３ｍｍ離間）に固定、ＤＣバイアス電圧Ｖburは−２．０ｋＶに固定
「条件２」
二次転写食込み量は−０．３ｍｍ（−０．３ｍｍ離間）に固定、ＤＣバイアス電圧Ｖburは−２．０ｋＶに設定し、用紙後端が用紙案内ガイド２８を抜けるタイミングで−２．９ｋＶに変更
「条件３」
二次転写食込み量は−０．３ｍｍ（−０．３ｍｍ離間）から用紙後端が用紙案内ガイド２８を抜けるタイミングで＋０．３ｍｍに増加、ＤＣバイアス電圧Ｖburは−２．０ｋＶに固定
「条件４」
二次転写食込み量は＋０．３ｍｍ（０．３ｍｍ食い込み）に固定、ＤＣバイアス電圧Ｖburは−２．０ｋＶに固定
「条件５」
二次転写食込み量は＋０．３ｍｍ（０．３ｍｍ食い込み）に固定、ＤＣバイアス電圧Ｖburは−２．０ｋＶに設定し、用紙後端が用紙案内ガイド２８を抜けるタイミングで−２．９ｋＶに変更
【００８６】
それぞれの条件１〜条件５での画像評価の結果を図１０に示す。
「条件１」
ＤＣバイアス電圧Ｖburは−２．０ｋＶに固定した状態では、白色（Ｗ）単色、白色（Ｗ）上にマゼンタトナー（Ｍ）、シアントナー（Ｃ）を重ねた二次色（Ｂｌｕｅ）のＡ３全面サイズのベタ画像のいずれにおいても、用紙の搬送方向において転写されるトナー画像の濃度差が顕著な濃度段差として発生した。一方、白色帯画像においては、トナー飛散は確認されなかった。
「条件２」
用紙後端Ｔ／Ｅが用紙案内ガイド２８を抜けるタイミングでＤＣバイアス電圧Ｖburを増大することで、用紙Ｐが用紙案内ガイド２８とも接触する時に形成する二次転写対向部電界に比べ、用紙Ｐが二次転写対向部の二次転写ベルト５３のみと接触する時に形成する二次転写対向部電界を大きくする手段を施した条件２について、白色（Ｗ）単色、白色（Ｗ）上にマゼンタトナー（Ｍ）、シアントナー（Ｃ）を重ねた二次色（Ｂｌｕｅ）のＡ３全面サイズのベタ画像のいずれにおいても、用紙Ｐの搬送方向において転写されるトナー画像の濃度差は確認されなかった。また、白色帯画像においても、トナー飛散は確認されなかった。
「条件３」
用紙後端Ｔ／Ｅが用紙案内ガイド２８を抜けるタイミングで二次転写食込み量を−０．３ｍｍ（−０．３ｍｍ離間）から＋０．３ｍｍ（０．３ｍｍ食い込み）に増加することで、白色（Ｗ）単色のベタ画像においては、用紙Ｐの搬送方向において濃度差が発生せず、白色（Ｗ）上にマゼンタトナー（Ｍ）、シアントナー（Ｃ）を重ねたに二次色のベタ画像においては、条件１の顕著な濃度段差に比べて、色味の変化が認められる程度に濃度差が抑制されることが確認された。また、白色帯画像においても、トナー飛散は確認されなかった。
「条件４」  
二次転写食込み量を＋０．３ｍｍ（０．３ｍｍ食い込み）に固定することで、白色（Ｗ）単色のベタ画像においては、用紙Ｐの搬送方向において濃度差が発生せず、白色（Ｗ）上にマゼンタトナー（Ｍ）、シアントナー（Ｃ）を重ねたに二次色のベタ画像においては、条件１の顕著な濃度段差に比べて、色味の変化が認められる程度に濃度差が抑制されることが確認された。一方、白色帯画像においては、トナー飛散が確認された。
「条件５」
二次転写食込み量を＋０．３ｍｍ（０．３ｍｍ食い込み）に固定した状態で、用紙後端Ｔ／Ｅが用紙案内ガイド２８を抜けるタイミングでＤＣバイアス電圧Ｖburを増大することで、白色（Ｗ）単色、白色（Ｗ）上にマゼンタトナー（Ｍ）、シアントナー（Ｃ）を重ねた二次色（Ｂｌｕｅ）のＡ３全面サイズのベタ画像のいずれにおいても、用紙の搬送方向において転写されるトナー画像の濃度差は確認されなかった。一方、白色帯画像においては、トナー飛散が確認された。
【００８７】
図１８（ａ）は、用紙案内ガイド２８が抵抗接地された二次転写部における転写バイアス印加の構成を示した図、図１８（ｂ）は、用紙案内ガイド２８がバイアス電圧が印加された二次転写部における転写バイアス印加の構成を示した図である。
画像形成装置１、１Ａ、１Ｂにおいては、用紙案内ガイド２８は接地されて配置されている例について説明したが、用紙案内ガイド２８は、図１８（ａ）に示すように、抵抗Ｒｆを介して接地されてもよい。抵抗Ｒｆを介することで、経路ＲＴ２（バックアップローラ６５／中間転写ベルト５１〜用紙Ｐ〜用紙案内ガイド２８〜抵抗Ｒｆ）のシステム抵抗を経路ＲＴ１（バックアップローラ６５／中間転写ベルト５１〜用紙Ｐ〜二次転写ベルト５３）のシステム抵抗に近づけて、用紙Ｐが用紙案内ガイド２８と接触しているときと、用紙案内ガイド２８と接触していないときの転写電流値の差異を少なくする。
【００８８】
また、用紙案内ガイド２８は、図１８（ｂ）に示すように、ＤＣバイアス電圧Ｖburと同極性で所定のバイアス電圧Ｖｓを印加して用紙Ｐが用紙案内ガイド２８と接触しているときの経路ＲＴ２に流れる電流ＩPAPERと、用紙案内ガイド２８と接触していないときの経路ＲＴ１に流れる電流ＩBTBの差異を少なくする。
【符号の説明】
【００８９】
１、１Ａ、１Ｂ・・・画像形成装置
１０・・・画像形成部
１１・・・システム制御装置
１２・・・露光装置
１３・・・感光体ユニット
１４・・・現像装置
１５・・・転写装置
５１・・・中間転写ベルト
５３・・・二次転写ベルト
５４・・・二次転写ローラ
６５・・・バックアップローラ
１７・・・定着装置
２０・・・用紙送り装置
２８・・・用紙案内ガイド
３０・・・排紙部
４０・・・操作表示部
５０・・・画像処理部
１００・・・転写バイアス電源
１１０・・・移動機構
Ｐ・・・用紙
【図１】
2019105816.tif 000003
【図２】
2019105816.tif 000004
【図３】
2019105816.tif 000005
【図４】
2019105816.tif 000006
【図５】
2019105816.tif 000007
【図６】
2019105816.tif 000008
【図７】
2019105816.tif 000009
【図８】
2019105816.tif 000010
【図９】
2019105816.tif 000011
【図１０】
2019105816.tif 000012
【図１１】
2019105816.tif 000013
【図１２】
2019105816.tif 000014
【図１３】
2019105816.tif 000015
【図１４】
2019105816.tif 000016
【図１５】
2019105816.tif 000017
【図１６】
2019105816.tif 000018
【図１７】
2019105816.tif 000019
【図１８】
2019105816.tif 000020